(57)【要約】【課題】ユーザに提供する広告情報の有益度を判定することによって、広告情報による広告効果について向上させた広告評価装置、広告評価システム及びコンピュータプログラムを提供する。【解決手段】広告管理サーバ３からナビゲーション装置５へと広告情報の配信を行う一方で、広告情報を配信したナビゲーション装置５において広告情報が提供された提供回数を取得するとともに、ユーザが広告情報に係る地点に立ち寄った立寄回数を取得し、提供回数と立寄回数とに基づいて広告情報の有益度を判定するように構成する。【選択図】図８
2018005652.tif 000002
【特許請求の範囲】
【請求項１】
地図情報に含まれる地点の広告情報をユーザに対して提供する情報端末と通信可能に接続された広告評価装置であって、
前記情報端末において前記広告情報が提供された提供回数を取得する提供回数取得手段と、
前記ユーザが前記広告情報に係る地点に立ち寄った立寄回数を取得する立寄回数取得手段と、
前記提供回数と前記立寄回数とに基づいて前記広告情報の有益度を判定する有益度判定手段と、を有する広告評価装置。
【請求項２】
前記情報端末は外部から配信された前記広告情報をユーザに対して提供し、
前記有益度判定手段は、前記情報端末に前記広告情報が配信された回数に対して、配信された前記広告情報がユーザに提供された前記提供回数の割合が高い程、前記広告情報の有益度が高いと判定する請求項１に記載の広告評価装置。
【請求項３】
前記情報端末は外部から配信された前記広告情報をユーザに対して提供し、
前記有益度判定手段は、前記情報端末に前記広告情報が配信された回数に対して、配信された前記広告情報に係る地点にユーザが立ち寄った前記立寄回数の割合が高い程、前記広告情報の有益度が高いと判定する請求項１又は請求項２に記載の広告評価装置。
【請求項４】
前記提供回数取得手段は、前記提供回数を前記広告情報の提供態様毎に区分して取得し、
前記有益度判定手段は、区分ごとの前記提供回数に基づいて前記広告情報の有益度を判定する請求項１乃至請求項３のいずれかに記載の広告評価装置。
【請求項５】
前記情報端末では前記広告情報の提供態様として、簡易な情報を提供する第１提供態様と、詳細な情報を提供する第２提供態様とを含み、
前記有益度判定手段は、前記広告情報について前記第２提供態様により提供された割合が高い程、前記広告情報の有益度が高いと判定する請求項４に記載の広告評価装置。
【請求項６】
前記情報端末は複数あって、
前記提供回数取得手段及び前記立寄回数取得手段は、複数の前記情報端末から前記提供回数及び前記立寄回数をそれぞれ取得し、
前記有益度判定手段は、複数の前記情報端末における前記提供回数及び前記立寄回数を統計することにより、前記広告情報の有益度を判定する請求項１乃至請求項５のいずれかに記載の広告評価装置。
【請求項７】
前記広告情報を前記情報端末に配信する広告情報配信手段を有する請求項１乃至請求項６のいずれかに記載の広告評価装置。
【請求項８】
地図情報に含まれる地点の広告情報をユーザに対して提供する広告情報提供手段と、
前記広告情報が提供された提供回数を取得する提供回数取得手段と、
前記ユーザが前記広告情報に係る地点に立ち寄った立寄回数を取得する立寄回数取得手段と、
前記提供回数と前記立寄回数とに基づいて前記広告情報の有益度を判定する有益度判定手段と、を有する広告評価システム。
【請求項９】
地図情報に含まれる地点の広告情報をユーザに対して提供する情報端末と通信可能に接続された広告評価装置を、
前記情報端末において前記広告情報が提供された提供回数を取得する提供回数取得手段と、
前記ユーザが前記広告情報に係る地点に立ち寄った立寄回数を取得する立寄回数取得手段と、
前記提供回数と前記立寄回数とに基づいて前記広告情報の有益度を判定する有益度判定手段と、して機能させる為のコンピュータプログラム。
【発明の詳細な説明】
【技術分野】
【０００１】
本発明は、情報端末に配信した広告情報の有益度を判定する広告評価装置、広告評価システム及びコンピュータプログラムに関する。
【背景技術】
【０００２】
近年、車両の走行案内を行い、運転者が所望の目的地に容易に到着できるようにしたナビゲーション装置が車両に搭載されていることが多い。ここで、ナビゲーション装置とは、ＧＰＳ受信機などにより自車の現在位置を検出し、その現在位置に対応する地図データをＤＶＤ−ＲＯＭやＨＤＤなどの記録媒体またはネットワークを通じて取得して液晶モニタに表示することが可能な装置である。更に、かかるナビゲーション装置では、自車の現在位置の周辺にある地点（例えば施設）や特定のエリア内（例えば走行予定経路周辺）にある地点に関する情報を案内することも行われている。また、近年は携帯電話機、スマートフォン、タブレット型端末、パーソナルコンピュータ等においても上記ナビゲーション装置と同様の機能を有するものがある。
【０００３】
ここで、上記地点に関する情報として、特に該地点に関する広告情報を案内することについても行われていた。広告情報としては、例えば該地点が店舗である場合には店舗名、住所、電話番号、店舗で取り扱う商品、販売価格、イベントに関する情報等がある。特開２００４−１３２７１７号公報には、サーバから端末へと店舗の広告情報を配信し、端末において表示された地図画像中に広告情報の対象となる店舗がある場合に、該店舗の広告情報を案内する技術について記載されている。
【先行技術文献】
【特許文献】
【０００４】
【特許文献１】特開２００４−１３２７１７号公報（第８−９頁、図１３）
【発明の概要】
【発明が解決しようとする課題】
【０００５】
ここで、上記特許文献１に記載の技術では、サーバから端末へと店舗の広告情報を配信することは可能であるが、配信した広告情報が端末においてどの程度効果があったのかについては把握することができなかった。その結果、多数の広告情報が存在する場合において、ユーザにとって有益な広告情報を識別することができず、結果としてユーザにとって不要な広告情報についても多数案内される事態が生じていた。そして、案内される広告情報が多くなり過ぎると、ユーザにとって有益な広告情報が埋もれてしまい、広告効果が薄れてしまう問題がある。
【０００６】
本発明は前記従来における問題点を解消するためになされたものであり、ユーザに提供する広告情報の有益度を判定することによって、広告情報による広告効果について向上させた広告評価装置、広告評価システム及びコンピュータプログラムを提供することを目的とする。
【課題を解決するための手段】
【０００７】
前記目的を達成するため本発明に係る広告評価装置は、地図情報に含まれる地点の広告情報をユーザに対して提供する情報端末と通信可能に接続された広告評価装置であって、前記情報端末において前記広告情報が提供された提供回数を取得する提供回数取得手段と、前記ユーザが前記広告情報に係る地点に立ち寄った立寄回数を取得する立寄回数取得手段と、前記提供回数と前記立寄回数とに基づいて前記広告情報の有益度を判定する有益度判定手段と、を有する。
ここで、「有益度」とは、広告情報がユーザに対してどの程度有益（有用）であったかを示す指標であり、有益度が高い広告情報程、ユーザにとって有益（有用）であることを示す。
【０００８】
また、本発明に係る広告評価システムは、地図情報に含まれる地点の広告情報をユーザに対して提供する広告情報提供手段と、前記広告情報が提供された提供回数を取得する提供回数取得手段と、前記ユーザが前記広告情報に係る地点に立ち寄った立寄回数を取得する立寄回数取得手段と、前記提供回数と前記立寄回数とに基づいて前記広告情報の有益度を判定する有益度判定手段と、を有する。
【０００９】
また、本発明に係るコンピュータプログラムは、ユーザに提供した広告情報の有益度を判定するプログラムである。具体的には、地図情報に含まれる地点の広告情報をユーザに対して提供する情報端末と通信可能に接続された広告評価装置を、前記情報端末において前記広告情報が提供された提供回数を取得する提供回数取得手段と、前記ユーザが前記広告情報に係る地点に立ち寄った立寄回数を取得する立寄回数取得手段と、前記提供回数と前記立寄回数とに基づいて前記広告情報の有益度を判定する有益度判定手段と、して機能させる。
【発明の効果】
【００１０】
前記構成を有する本発明に係る広告評価装置、広告評価システム及びコンピュータプログラムによれば、広告情報が情報端末において実際にユーザに提供された回数と、その広告情報を提供されたユーザが広告情報に係る地点に立ち寄った回数とに基づいて、広告情報がユーザにとってどの程度有益であるかを示す有益度を判定し、提供することが可能となる。その結果、多数の広告情報が存在する場合において、ユーザにとって有益な広告情報を識別することが可能となり、その後の広告情報の提供において、広告効果を向上させることが可能となる。
【図面の簡単な説明】
【００１１】
【図１】本実施形態に係る広告情報提供システムを示した概略構成図である。
【図２】広告情報ＤＢに記憶される広告情報の一例を示した図である。
【図３】本実施形態に係る広告管理サーバの制御系を模式的に示すブロック図である。
【図４】本実施形態に係るナビゲーション装置の制御系を模式的に示すブロック図である。
【図５】本実施形態に係る情報提供処理プログラムのフローチャートである。
【図６】ナビゲーション装置に表示される走行案内画面を示した図である。
【図７】広告情報を第１提供態様により提供する例を示した図である。
【図８】広告情報を第２提供態様により提供する例を示した図である。
【図９】統計情報ＤＢに記憶される履歴情報の一例を示した図である。
【図１０】本実施形態に係る広告評価処理プログラムのフローチャートである。
【発明を実施するための形態】
【００１２】
以下、本発明に係る広告評価システムについて具体化した一実施形態に基づき図面を参照しつつ詳細に説明する。先ず、本実施形態に係る広告情報提供システム１の概略構成について図１を用いて説明する。図１は本実施形態に係る広告情報提供システム１を示した概略構成図である。
【００１３】
図１に示すように、本実施形態に係る広告情報提供システム１は、広告情報管理センタ２が有する広告管理サーバ３と、ユーザ４が乗車する車両に搭載されたナビゲーション装置５とを基本的に有している。尚、ナビゲーション装置５は、ナビ機能を備えた情報端末であれば良く、ナビゲーション装置以外に携帯電話機、ＰＤＡ、タブレット型端末、スマートフォン、パーソナルコンピュータ等としても良い。また、広告情報提供システム１には基本的にナビゲーション装置５が複数台含まれる。但し、ナビゲーション装置５が１台のみであっても広告情報提供システム１を構成することは可能である。また、広告情報管理センタ２と複数のナビゲーション装置５とは通信ネットワーク網６を介して互いに電子データを送受信可能に構成されている。
【００１４】
ここで、広告管理サーバ３は、全国各地の地点に関する広告情報を広告情報ＤＢ７に記憶する。尚、地点としては施設以外に地図上の特定の場所（観光名所等）、通り、自治体、エリア等も含む。そして、広告管理サーバ３は通信ネットワーク網６を介してＤＢに記憶された広告情報を、ナビゲーション装置５に対して提供する。また、広告情報としては、提供される広告の内容（地点名、住所、電話番号、取り扱う商品、販売価格、イベントに関する情報等）に加えて、広告地点（広告主）を特定する為の情報（地図上の地点の位置座標、ジャンル、ＩＤ等）についても含む。
【００１５】
また、広告管理サーバ３は、広告情報を提供したナビゲーション装置５において、実際に広告情報に係る地点にユーザ４が立ち寄ったか否かの結果について収集し、広告情報の有益度の評価についても行う。
【００１６】
ここで、図２は広告情報ＤＢ７に記憶されるとともにナビゲーション装置５に対して提供される広告情報の一例を示した図である。図２に示すように、広告情報は、広告対象となる“地点の名称”と、“地点の住所”と、“電話番号”と、地図上の地点の位置を特定する“位置座標”と、名称や住所以外の広告に関する“その他の広告内容”と、“広告有効期限”とを含む。ここで、“地点の名称”、“地点の住所”、“電話番号”はユーザに提供される広告の内容であるとともに広告地点（広告主）を特定する情報にも該当する。また、“広告有効期限”はナビゲーション装置５への配信対象となる期間を示す。また、広告情報には広告管理サーバ３において評価された広告情報の有益度合いを示す有益度についても付加される。但し、有益度に関する情報については広告管理サーバ３のみが保有し、ナビゲーション装置５には配信しないようにしても良い。尚、有益度の詳細については後述する。
【００１７】
そして、後述のように広告管理サーバ３から上記広告情報が配信されたナビゲーション装置５は、ユーザ４に対して広告情報を提供する。尚、ナビゲーション装置５を介して実際にユーザ４に提供されるのは、図２に示す広告情報の内、“地点の名称”、“地点の住所”、“電話番号”、“その他の広告内容”とする。但し、必ずしもそれらの全てを提供対象とする必要はなく、“地点の名称”と“地点の住所”のみを提供する構成としても良い。また、広告管理サーバ３では、他のサーバから取得したり、広告管理サーバ３の管理者による入力操作によって新たな広告情報が順次、広告情報ＤＢ７に格納される。
【００１８】
一方、ナビゲーション装置５は、目的地までの推奨経路を探索したり、サーバから取得したりメモリに格納された地図データに基づいてユーザ４の現在位置周辺や任意のエリアの地図画像を所定の縮尺で表示したり、表示された地図画像中においてユーザ４の現在位置を表示したり、設定された案内経路に沿った移動案内を行ったり、上述した広告情報をユーザに提供する機能を有する。尚、上記機能の全てをナビゲーション装置５が備えている必要はなく、少なくともユーザ４の現在位置周辺や任意のエリアの地図画像を表示する機能及び広告情報をユーザに提供する機能を有していれば本願発明を構成することが可能である。
【００１９】
また、通信ネットワーク網６は全国各地に配置された多数の基地局と、各基地局を管理及び制御する通信会社とを含み、基地局及び通信会社を有線（光ファイバー、ＩＳＤＮ等）又は無線で互いに接続することにより構成されている。ここで、基地局はナビゲーション装置５との通信をするトランシーバー（送受信機）とアンテナを有する。そして、基地局は通信会社の間で無線通信を行う一方、通信ネットワーク網６の末端となり、基地局の電波が届く範囲（セル）にあるナビゲーション装置５の通信を広告管理サーバ３との間で中継する役割を持つ。
【００２０】
続いて、広告情報提供システム１における広告管理サーバ３の構成について図３を用いてより詳細に説明する。広告管理サーバ３は、図３に示すようにサーバ制御ＥＣＵ１１と、サーバ制御ＥＣＵ１１に接続された情報記録手段としての広告情報ＤＢ７及び統計情報ＤＢ１２と、サーバ側通信装置１３とを備える。
【００２１】
サーバ制御ＥＣＵ１１（エレクトロニック・コントロール・ユニット）は、広告管理サーバ３の全体の制御を行う電子制御ユニットであり、演算装置及び制御装置としてのＣＰＵ２１、並びにＣＰＵ２１が各種の演算処理を行うにあたってワーキングメモリとして使用されるＲＡＭ２２、制御用のプログラムのほか、後述の情報提供処理プログラム（図５参照）及び広告評価処理プログラム（図１０参照）等が記録されたＲＯＭ２３、ＲＯＭ２３から読み出したプログラムを記憶するフラッシュメモリ２４等の内部記憶装置を備えている。尚、サーバ制御ＥＣＵ１１は、後述のナビゲーション装置５のＥＣＵとともに処理アルゴリズムとしての各種手段を有する。例えば、広告情報提供手段は、地図情報に含まれる地点の広告情報をユーザに対して提供する。提供回数取得手段は、ナビゲーション装置５において広告情報が提供された提供回数を取得する。立寄回数取得手段は、ユーザが広告情報に係る地点に立ち寄った立寄回数を取得する。有益度判定手段は、提供回数と立寄回数とに基づいて広告情報の有益度を判定する。
【００２２】
また、広告情報ＤＢ７は、前述したようにナビゲーション装置５に対して配信する対象となる広告情報（図２）が記憶された記憶手段である。
【００２３】
一方、統計情報ＤＢ１２は、全国を走行する各車両のナビゲーション装置５から収集した情報を累積的に記憶する記憶手段である。尚、本実施形態においては、広告情報の有益度を評価する為の情報をナビゲーション装置５から収集して統計情報ＤＢ１２に記憶する。具体的には、広告情報ＤＢ７に格納される広告情報毎に、ナビゲーション装置５において配信した広告情報がどのように提供されたかを示す情報と、広告情報を配信した車両がＡＣＣ電源(accessory power supply)をオフした地点、広告情報を配信した車両のユーザの自宅位置について記憶される。
【００２４】
そして、広告管理サーバ３は、統計情報ＤＢ１２に記憶される情報を統計することによって、後述のように広告情報ＤＢ７に格納される広告情報毎に有益度の評価を行う。
【００２５】
一方、サーバ側通信装置１３は広告情報の配信対象となる各ナビゲーション装置５と通信ネットワーク網６を介して通信を行う為の通信装置である。また、ナビゲーション装置５以外にインターネット網や、広告情報の提供元となる外部サーバとの通信についても可能である。
【００２６】
次に、広告情報提供システム１が有するナビゲーション装置５の概略構成について図４を用いて説明する。図４は本実施形態に係るナビゲーション装置５の制御系を模式的に示すブロック図である。
【００２７】
図４に示すように本実施形態に係るナビゲーション装置５は、ナビゲーション装置５が搭載された車両の現在位置を検出する現在位置検出部３１と、各種のデータが記録されたデータ記録部３２と、入力された情報に基づいて、各種の演算処理を行うナビゲーションＥＣＵ３３と、ユーザからの操作を受け付ける操作部３４と、ユーザに対して車両周辺の地図や施設に関する案内情報を表示する液晶ディスプレイ３５と、経路案内に関する音声ガイダンスを出力するスピーカ３６と、記憶媒体であるＤＶＤを読み取るＤＶＤドライブ３７と、広告情報管理センタ２やＶＩＣＳ（登録商標：Vehicle Information and Communication System）センタ等の情報センタとの間で通信を行う通信モジュール３８と、を有している。
【００２８】
以下に、ナビゲーション装置５が有する各構成要素について順に説明する。
現在位置検出部３１は、ＧＰＳ４１、車速センサ４２、ステアリングセンサ４３、ジャイロセンサ４４等からなり、現在の車両の位置、方位、車両の走行速度、現在時刻等を検出することが可能となっている。ここで、特に車速センサ４２は、車両の移動距離や車速を検出する為のセンサであり、車両の駆動輪の回転に応じてパルスを発生させ、パルス信号をナビゲーションＥＣＵ３３に出力する。そして、ナビゲーションＥＣＵ３３は発生するパルスを計数することにより駆動輪の回転速度や移動距離を算出する。尚、上記４種類のセンサをナビゲーション装置５が全て備える必要はなく、これらの内の１又は複数種類のセンサのみをナビゲーション装置５が備える構成としても良い。
【００２９】
また、データ記録部３２は、外部記憶装置及び記録媒体としてのハードディスク（図示せず）と、ハードディスクに記録された地図情報ＤＢ４５、走行履歴ＤＢ４６、閲覧履歴ＤＢ４７、配信情報ＤＢ４８及び所定のプログラム等を読み出すとともにハードディスクに所定のデータを書き込む為のドライバである記録ヘッド（図示せず）とを備えている。尚、データ記録部３２をハードディスクの代わりにメモリーカードやＣＤやＤＶＤ等の光ディスクを有しても良い。また、ナビゲーション装置５は、地図情報ＤＢ４５を有さずに外部のサーバから地図情報を通信により取得しても良い。
【００３０】
ここで、地図情報ＤＢ４５は、例えば、道路（リンク）に関するリンクデータ、ノード点に関するノードデータ、地点に関する地点データ、地図を表示するための地図表示データ、各交差点に関する交差点データ、経路を探索するための探索データ、地点を検索するための検索データ等が記憶された記憶手段である。
【００３１】
また、走行履歴ＤＢ４６は、車両の走行履歴を記憶するＤＢである。具体的には、過去に車両が走行したリンクが走行時刻とともに累積的に記憶される。また、車両のＡＣＣ電源(accessory power supply)がＯＦＦされた地点やＯＦＦされた時刻についても記憶される。そして、ナビゲーションＥＣＵ３３は走行履歴ＤＢ４６に記憶された走行履歴情報に基づいて、ユーザがナビゲーション装置５において提供された広告情報に係る地点に立ち寄ったか否かを判定する。尚、走行履歴ＤＢ４６は外部のサーバ（例えば広告管理サーバ３）が有しても良い。
【００３２】
また、閲覧履歴ＤＢ４７は、広告管理サーバ３から配信された広告情報がどのようにユーザに提供されたのかについて記憶するＤＢである。尚、本実施形態では広告情報の提供態様として簡易な情報のみを提供する第１提供態様と、詳細な情報についても提供する第２提供態様とがある。尚、提供態様は後述のようにユーザの操作に基づいて選択される。更に、配信された広告情報をナビゲーション装置５において提供（出力）しないことも選択可能である。そして、閲覧履歴ＤＢ４７には、広告管理サーバ３から配信された広告情報毎に、第１提供態様にて提供されたか、第２提供態様にて提供されたか、或いは提供されなかったかについて記憶される。尚、走行履歴ＤＢ４６は外部のサーバ（例えば広告管理サーバ３）が有しても良い。
【００３３】
また、配信情報ＤＢ４８は、広告管理サーバ３から配信された広告情報を記憶するＤＢである。そして、ナビゲーションＥＣＵ３３は、配信情報ＤＢ４８に記憶された広告情報を所定のタイミングで液晶ディスプレイ３５に表示したり、スピーカ３６で出力することにより、ユーザに提供する。尚、広告情報を提供するタイミングや提供態様は後述のようにユーザの現在位置やユーザ操作によって決定される。
【００３４】
また、ナビゲーションＥＣＵ（エレクトロニック・コントロール・ユニット）３３は、ナビゲーション装置５の全体の制御を行う電子制御ユニットであり、演算装置及び制御装置としてのＣＰＵ５１、並びにＣＰＵ５１が各種の演算処理を行うにあたってワーキングメモリとして使用されるとともに、経路が探索されたときの経路データ等が記憶されるＲＡＭ５２、制御用のプログラムのほか、後述の情報提供処理プログラム（図５参照）等が記録されたＲＯＭ５３、ＲＯＭ５３から読み出したプログラムを記憶するフラッシュメモリ５４等の内部記憶装置を備えている。
【００３５】
操作部３４は、走行開始地点としての出発地及び走行終了地点としての目的地を入力する際、広告情報をナビゲーション装置５において出力する際等に操作され、各種のキー、ボタン等の複数の操作スイッチ（図示せず）を有する。そして、ナビゲーションＥＣＵ３３は、各スイッチの押下等により出力されるスイッチ信号に基づき、対応する各種の動作を実行すべく制御を行う。尚、操作部３４としては液晶ディスプレイ３５の前面に設けたタッチパネルを有する構成としても良い。また、マイクと音声認識装置を有する構成としても良い。
【００３６】
また、液晶ディスプレイ３５には、道路を含む地図画像、交通情報、操作案内、操作メニュー、キーの案内、出発地から目的地までの案内経路、案内経路に沿った案内情報、ニュース、時刻、メール、テレビ番組等が表示される。また、本実施形態では、後述のように広告管理サーバ３から取得した広告情報を案内する際にも用いられる。尚、液晶ディスプレイ３５の代わりに、ＨＵＤやＨＭＤを用いても良い。
【００３７】
また、スピーカ３６は、ナビゲーションＥＣＵ３３からの指示に基づいて走行予定経路に沿った走行を案内する音声ガイダンスや、交通情報の案内を出力する。また、本実施形態では、後述のように広告管理サーバ３から取得した広告情報を案内する際にも用いられる。
【００３８】
また、ＤＶＤドライブ３７は、ＤＶＤやＣＤ等の記録媒体に記録されたデータを読み取り可能なドライブである。そして、読み取ったデータに基づいて音楽や映像の再生、地図情報ＤＢ４５の更新等が行われる。尚、ＤＶＤドライブ３７に替えてメモリーカードを読み書きする為のカードスロットを設けても良い。
【００３９】
また、通信モジュール３８は、交通情報センタ、例えば、ＶＩＣＳセンタやプローブセンタ等から送信された渋滞情報、規制情報、交通事故情報等の各情報から成る交通情報を受信する為の通信装置であり、例えば携帯電話機やＤＣＭが該当する。また、本実施形態では広告管理サーバ３から広告情報を受信するのにも用いられる。
【００４０】
続いて、前記構成を有する広告情報提供システム１において、広告管理サーバ３及びナビゲーション装置５が実行する情報提供処理プログラムについて図５に基づき説明する。図５は本実施形態に係る情報提供処理プログラムのフローチャートである。ここで、情報提供処理プログラムは、車両のＡＣＣ電源(accessory power supply)がＯＮされた後に実行され、広告管理サーバ３からナビゲーション装置５へと広告情報を配信するとともに、配信された広告情報の提供結果を広告管理サーバ３において収集するプログラムである。尚、以下の図５及び図１０にフローチャートで示されるプログラムは、広告管理サーバ３やナビゲーション装置５が備えているＲＡＭやＲＯＭに記憶されており、ＣＰＵ２１或いはＣＰＵ５１により実行される。
【００４１】
先ず、図５に基づいてナビゲーション装置５のＣＰＵ５１が実行する情報提供処理プログラムについて説明する。ステップ（以下、Ｓと略記する）１において、ＣＰＵ５１は、広告管理サーバ３から広告情報を受信する。尚、前記Ｓ１で取得対象となるのはユーザの現在位置周辺や案経路周辺（ナビゲーション装置５において案内経路が設定されている場合のみ）の地図情報に含まれる地点に関する広告情報であって、且つ現在の日時が広告情報に設定されている広告有効期限内の広告情報である。また、広告情報は前述したように広告対象となる“地点の名称”と、“地点の住所”と、“電話番号”と、地図上の地点の位置を特定する“位置座標”と、名称や住所以外の広告に関する“その他の広告内容”と、“広告有効期限”と“有益度”を含む（図２参照）。尚、“広告有効期限”や“有益度”に関しては広告管理サーバ３側でのみ利用する情報として、ナビゲーション装置５へは送信しない構成としても良い。また、前記Ｓ１で広告管理サーバ３から受信した広告情報は配信情報ＤＢ４８に格納される。
【００４２】
次に、Ｓ２においてＣＰＵ５１は、前記Ｓ１で広告管理サーバ３から配信された広告情報をユーザに対して提供する。本実施形態では、広告情報の提供態様としては簡易な情報のみを提供する第１提供態様と、詳細な情報についても提供する第２提供態様とがある。更に、配信された広告情報をナビゲーション装置５において提供（出力）しない態様もある。以下に、広告情報の提供態様の詳細について説明する。
【００４３】
図６に示すように車両の走行中においては液晶ディスプレイ３５に走行案内画面６０が表示される。走行案内画面６０は、車両の現在位置周辺の地図画像６１と、案内経路６２（案内経路が設定されている場合のみ）と、地図上にマッチングされた車両の現在位置を示す自車位置マーク６３とが表示される。そして、広告情報の提供タイミングとなると、地図画像上の広告情報の地点にマーク６４が表示される。尚、広告情報の提供タイミングとしては、例えば広告情報の地点から所定距離以内に車両が接近した場合や、液晶ディスプレイ３５に表示された地図画像内に広告情報の地点が含まれた場合等がある。
【００４４】
その後、ユーザ４がマーク６４を選択する（例えばマーク６４をタッチ操作する）と、図７に示すようにマーク６４の地点に関する広告情報として特に簡易な情報のみを表示した簡易情報ウィンドウ６５が表示される。簡易な情報としては例えば“地点の名称”と“電話番号”が表示される。また、簡易情報ウィンドウ６５内には詳細ボタン６６が表示され、ユーザが更に詳細ボタン６６を選択する（例えば詳細ボタン６６をタッチ操作する）と後述の詳細な広告情報が表示される。一方、ユーザ４がマーク６４を選択しなければマーク６４の地点に関する広告情報はナビゲーション装置５において提供（出力）されない。簡易情報ウィンドウ６５による広告情報の表示が広告情報の第１提供態様となる。
【００４５】
そして、ユーザ４が図７に示す簡易情報ウィンドウ６５内の詳細ボタン６６を選択すると、図８に示すようにマーク６４の地点の広告情報として特に詳細な情報を表示した詳細情報ウィンドウ６７が新たに表示される。詳細な情報としては例えば“地点の名称”と“電話番号”に加えて、“地点の住所”と、名称や住所以外の広告に関する“その他の広告内容”とを含む。詳細情報ウィンドウ６７による広告情報の表示が広告情報の第２提供態様となる。その結果、ユーザは走行案内画面６０を参照することによって、現在の車両周辺の地図情報や現在設定されている案内経路に加えて、案内経路の周辺にあるお勧めの地点の情報について把握することが可能となる。また、広告情報の提供は液晶ディスプレイ３５以外にスピーカ３６を用いて行っても良い。
【００４６】
その後、Ｓ３においてＣＰＵ５１は、前記Ｓ２において広告情報をどのように提供したかを示す提供履歴を、広告情報に紐付けて閲覧履歴ＤＢ４７に順次記憶する。尚、提供履歴は、『提供無し』、『第１提供態様』、『第２提供態様』のいずれかで特定される。
【００４７】
続いて、Ｓ４においてＣＰＵ５１は、車両のＡＣＣ電源(accessory power supply)がＯＦＦされたか否か、即ち車両が目的地に到着したか否かを判定する。
【００４８】
そして、車両のＡＣＣ電源がＯＦＦされたと判定された場合（Ｓ４：ＹＥＳ）には、Ｓ５へと移行する。それに対して、車両のＡＣＣ電源がＯＦＦされていないと判定された場合（Ｓ４：ＮＯ）にはＳ２へと戻り、車両の現在位置に応じて広告情報の提供を継続して行う。
【００４９】
Ｓ５においてＣＰＵ５１は、今回の車両のＡＣＣ電源がＯＮされてからＯＦＦされるまでの一連の走行において、前記Ｓ１で広告管理サーバ３から受信した各広告情報をどのように提供したかを示す提供履歴を広告管理サーバ３へと送信する。尚、提供履歴は前記Ｓ３において閲覧履歴ＤＢ４７に記憶される。
【００５０】
更にＳ６においてＣＰＵ５１は、車両のＡＣＣ電源がＯＦＦされた地点（即ち車両が走行を終了した地点）及びユーザの自宅位置を広告管理サーバ３へと送信する。尚、自宅位置は予めユーザによってナビゲーション装置５に登録されている。
【００５１】
次に、広告管理サーバ３のＣＰＵ２１が実行する情報提供処理プログラムについて説明する。
【００５２】
先ず、Ｓ１１においてＣＰＵ２１は、広告情報ＤＢ７からナビゲーション装置５に対して配信対象とする広告情報を読み出し、ナビゲーション装置５へと配信する。尚、ナビゲーション装置５に対して配信対象となるのはユーザの現在位置周辺や案経路周辺（ナビゲーション装置５において案内経路が設定されている場合のみ）の地図情報に含まれる地点に関する広告情報であって、且つ現在の日時が広告情報に設定されている広告有効期限内の広告情報である。従って、複数のナビゲーション装置５があれば、ナビゲーション装置５毎に配信対象となる広告情報が異なる。
【００５３】
続いて、Ｓ１２においてＣＰＵ２１は、ナビゲーション装置５から送信された広告情報の提供履歴を受信する。尚、広告情報の提供履歴は、前記Ｓ１１でナビゲーション装置５に配信した広告情報が、ナビゲーション装置５においてユーザにどのように提供されたかを示すものである。本実施形態では広告情報の提供履歴は前述したように『提供無し』、『第１提供態様』、『第２提供態様』のいずれかで特定される。
【００５４】
また、Ｓ１３においてＣＰＵ２１は、ナビゲーション装置５から送信された車両のＡＣＣ電源がＯＦＦされた地点（即ち車両が走行を終了した地点）及びユーザの自宅位置をそれぞれ受信する。
【００５５】
その後、Ｓ１４においてＣＰＵ２１は、前記Ｓ１２及びＳ１３で受信した情報（以下、履歴情報という）を前記Ｓ１１で配信した広告情報と紐付けて、図９に示すように統計情報ＤＢ１２に格納する。その結果、“広告情報を配信したナビゲーション装置５において広告情報がどのように提供されたか或いは提供されなかったか”、“広告情報を配信したナビゲーション装置５が搭載された車両の走行終了地点”、及び“広告情報を配信したナビゲーション装置５のユーザの自宅位置”について広告情報毎にそれぞれ記憶される。その後、後述のようにＣＰＵ２１は、統計情報ＤＢ１２に記憶される履歴情報を統計することによって、広告情報の有益度の評価を行う。
【００５６】
次に、広告情報提供システム１において、広告管理サーバ３のＣＰＵ２１が実行する広告情報評価処理プログラムについて図１０に基づき説明する。図１０は本実施形態に係る広告情報評価処理プログラムのフローチャートである。ここで、広告情報評価処理プログラムは、一定期間毎（例えば１週間毎）に実施され、前述した情報提供処理プログラムにおいてナビゲーション装置５から収集した履歴情報に基づいて、広告情報の評価を行うプログラムである。
【００５７】
以下のＳ２１〜Ｓ３１の処理は広告情報ＤＢ７に格納された広告情報毎に実施する。そして、広告情報ＤＢ７に格納された全ての広告情報を対象としてＳ２１〜Ｓ３１の処理が実行された後に終了する。
【００５８】
更に、Ｓ２１〜Ｓ３０の処理は処理対象の広告情報ＤＢ７に対して紐付けて記憶された履歴情報毎に実施する。尚、履歴情報は前記したように“広告情報を配信したナビゲーション装置５において広告情報がどのように提供されたか或いは提供されなかったか”、“広告情報を配信したナビゲーション装置５が搭載された車両の走行終了地点”、及び“広告情報を配信したナビゲーション装置５のユーザの自宅位置”に関する情報であり、前記Ｓ１４において統計情報ＤＢ１２に格納される。そして、処理対象の広告情報に紐付けられた全ての履歴情報を対象としてＳ２１〜Ｓ３０の処理が実行された後にＳ３１へと移行する。
【００５９】
先ず、Ｓ２１においてＣＰＵ２１は、統計情報ＤＢ１２から処理対象の履歴情報を読み出す。
【００６０】
Ｓ２２においてＣＰＵ２１は、処理対象の履歴情報が“広告情報を配信したナビゲーション装置５において少なくとも広告情報を提供された”ことを示す情報であるか否か判定する。尚、本実施形態に係るナビゲーション装置５では、広告情報の提供態様としては簡易な情報のみを提供する第１提供態様（図７）と、詳細な情報についても提供する第２提供態様（図８）があり、前記Ｓ２２は第１提供態様と第２提供態様のいずれで提供された場合も含む。
【００６１】
そして、処理対象の履歴情報が“広告情報を配信したナビゲーション装置５において少なくとも広告情報を提供された”ことを示す情報であると判定された場合（Ｓ２２：ＹＥＳ）には、Ｓ２３へと移行する。それに対して、処理対象の履歴情報が“広告情報を配信したナビゲーション装置５において少なくとも広告情報を提供された”ことを示す情報でないと判定された場合（Ｓ２２：ＮＯ）、即ち“広告情報を配信したナビゲーション装置５において広告情報が提供されなかった”ことを示す情報である場合には、Ｓ２４へと移行する。
【００６２】
Ｓ２３においてＣＰＵ２１は、フラッシュメモリ２４から『カウンタＮ１』を読み出し、+１加算する。尚、『カウンタＮ１』は、処理対象の広告情報がナビゲーション装置５に配信された後に、実際にユーザに提供（出力）された回数を示すカウンタである。その後、Ｓ２４へと移行する。
【００６３】
Ｓ２４においてＣＰＵ２１は、処理対象の履歴情報が“広告情報を配信したナビゲーション装置５において第１提供態様により広告情報を提供された”ことを示す情報であるか否か判定する。
【００６４】
そして、処理対象の履歴情報が“広告情報を配信したナビゲーション装置５において第１提供態様により広告情報を提供された”ことを示す情報であると判定された場合（Ｓ２４：ＹＥＳ）には、Ｓ２５へと移行する。それに対して、処理対象の履歴情報が“広告情報を配信したナビゲーション装置５において第１提供態様により広告情報を提供された”ことを示す情報でないと判定された場合（Ｓ２４：ＮＯ）には、Ｓ２６へと移行する。
【００６５】
Ｓ２５においてＣＰＵ２１は、フラッシュメモリ２４から『カウンタＮ２』を読み出し、+１加算する。尚、『カウンタＮ２』は、処理対象の広告情報がナビゲーション装置５に配信された後に、ユーザに簡易な情報のみ提供（出力）された回数を示すカウンタである。その後、Ｓ２６へと移行する。
【００６６】
Ｓ２６においてＣＰＵ２１は、処理対象の履歴情報が“広告情報を配信したナビゲーション装置５において第２提供態様により広告情報を提供された”ことを示す情報であるか否か判定する。
【００６７】
そして、処理対象の履歴情報が“広告情報を配信したナビゲーション装置５において第２提供態様により広告情報を提供された”ことを示す情報であると判定された場合（Ｓ２６：ＹＥＳ）には、Ｓ２７へと移行する。それに対して、処理対象の履歴情報が“広告情報を配信したナビゲーション装置５において第２提供態様により広告情報を提供された”ことを示す情報でないと判定された場合（Ｓ２６：ＮＯ）には、Ｓ２８へと移行する。
【００６８】
Ｓ２７においてＣＰＵ２１は、フラッシュメモリ２４から『カウンタＮ３』を読み出し、+１加算する。尚、『カウンタＮ３』は、処理対象の広告情報がナビゲーション装置５に配信された後に、ユーザに詳細な情報まで提供（出力）された回数を示すカウンタである。その後、Ｓ２８へと移行する。
【００６９】
Ｓ２８においてＣＰＵ２１は、処理対象の履歴情報が“ＡＣＣ電源のオフされた地点が自宅周辺である”ことを示す情報であるか否か判定する。尚、履歴情報には、車両のＡＣＣ電源がＯＦＦされた地点とユーザの自宅位置を特定する情報がそれぞれ含まれている（図９参照）。従って、車両のＡＣＣ電源がＯＦＦされた地点が自宅から所定距離（例えば５０ｍ）以内である場合に、処理対象の履歴情報が“ＡＣＣ電源のオフされた地点が自宅周辺である”ことを示す情報であると判定する。
【００７０】
そして、処理対象の履歴情報が“ＡＣＣ電源のオフされた地点が自宅周辺である”ことを示す情報であると判定された場合（Ｓ２８：ＹＥＳ）には、広告情報を配信したナビゲーション装置５のユーザが広告情報の地点に立ち寄ることなく自宅へと向かったと推定する。その後、カウンタのアップを行うことなく処理対象の履歴情報を変更してＳ２１へと戻る。
【００７１】
一方、処理対象の履歴情報が“ＡＣＣ電源のオフされた地点が自宅周辺である”ことを示す情報でないと判定された場合（Ｓ２８：ＮＯ）には、Ｓ２９へと移行する。
【００７２】
Ｓ２９においてＣＰＵ２１は、処理対象の履歴情報が“ＡＣＣ電源のオフされた地点が広告情報の地点である”ことを示す情報であるか否か判定する。尚、履歴情報には、車両のＡＣＣ電源がＯＦＦされた地点が含まれており（図９参照）、一方で広告情報には広告対象となる地点の位置を特定する位置座標が含まれている（図２参照）。従って、車両のＡＣＣ電源がＯＦＦされた地点が広告情報の地点の位置座標から所定距離（例えば５０ｍ）以内である場合に、処理対象の履歴情報が“ＡＣＣ電源のオフされた地点が広告情報の地点である”ことを示す情報であると判定する。
【００７３】
そして、処理対象の履歴情報が“ＡＣＣ電源のオフされた地点が広告情報の地点である”ことを示す情報であると判定された場合（Ｓ２９：ＹＥＳ）には、広告情報を配信したナビゲーション装置５のユーザが広告情報の地点に立ち寄ったと推定する。その後、Ｓ２３０へと移行する。
【００７４】
一方、処理対象の履歴情報が“ＡＣＣ電源のオフされた地点が広告情報の地点である”ことを示す情報でないと判定された場合（Ｓ２９：ＮＯ）には、広告情報を配信したナビゲーション装置５のユーザが自宅には向わず、広告情報に係る地点以外へと向かったと推定する。その後、カウンタのアップを行うことなく処理対象の履歴情報を変更してＳ２１へと戻る。
【００７５】
Ｓ３０においてＣＰＵ２１は、フラッシュメモリ２４から『カウンタＮ４』を読み出し、+１加算する。尚、『カウンタＮ４』は、処理対象の広告情報がナビゲーション装置５に配信された後に、ユーザが配信された広告情報に係る地点へと立ち寄った回数を示すカウンタである。その後、処理対象の履歴情報を変更してＳ２１へと戻る。
【００７６】
そして、処理対象の広告情報に対して紐付けて記憶された全ての履歴情報に対してＳ２１〜Ｓ３０の処理を実行した後に移行するＳ３１では、ＣＰＵ２１は処理対象の広告情報の有益度を判定する。ここで、有益度とは、広告情報がユーザに対してどの程度有益（有用）であったかを示す指標であり、有益度が高い広告情報程、ユーザにとって有益（有用）であることを示す。
【００７７】
具体的には、以下の処理によって広告情報の有益度を判定する。先ず、ＣＰＵ２１は、処理対象の広告情報が配信された回数Ｎ０を取得する。例えば、１００台のナビゲーション装置５に対して処理対象の広告情報が各１回配信された場合にはＮ０は「１００」となる。その後に、以下の式（１）〜（４）により有益度Ａ〜Ｄを算出する。
有益度Ａ＝Ｎ１／Ｎ０・・・・（１）
有益度Ｂ＝Ｎ２／Ｎ０・・・・（２）
有益度Ｃ＝Ｎ３／Ｎ０・・・・（３）
有益度Ｄ＝Ｎ４／Ｎ０・・・・（４）
【００７８】
尚、有益度Ａは、広告情報が配信された回数に対して、ユーザへと実際に広告情報が提供された回数の割合を示す。また、有益度Ｂは、広告情報が配信された回数に対して、ユーザが特に簡易な情報を希望して提供された回数の割合を示す。また、有益度Ｃは、広告情報が配信された回数に対して、ユーザが特に詳細な情報を希望して提供された回数の割合を示す。また、有益度Ｄは、広告情報が配信された回数に対して、ユーザが実際に広告情報に係る地点に立ち寄った回数の割合を示す。
【００７９】
基本的に各有益度Ａ〜Ｄは、高い値であればあるほどユーザにとって有益（有用）であることを示す。また、有益度Ｂに対して有益度Ｃが低い場合には、詳細な情報により広告情報が提供された割合よりも簡易な情報により広告情報が提供された割合の方が高いので、ユーザが興味はあったが具体的な情報を欲する広告情報でなかったことを示す。一方、有益度Ｂに対して有益度Ｃが高い場合には、簡易な情報により広告情報が提供された割合よりも詳細な情報により広告情報が提供された割合の方が高いので、ユーザが具体的な情報を欲する広告情報であったことを示す。そして、有益度Ｂに対して有益度Ｃが高い（即ち詳細な広告情報を提供した割合が高い）程、広告情報の有益度が高いと判定する。
【００８０】
また、有益度Ａに対して有益度Ｄが著しく低い場合には、ユーザが広告情報を閲覧した結果、ほとんどのユーザが広告情報の内容に興味を持たなかったことを示す。一方、有益度Ａに対して有益度Ｄが近い値である場合には、ユーザが広告情報を閲覧した結果、ほとんどのユーザが広告情報の内容に興味を持って広告情報に係る地点に立ち寄ったことを示す。即ち、有益度Ａに有益度Ｄの値が近い（即ち広告情報を閲覧したユーザが広告情報に係る地点に立ち寄った割合が高い）程、広告情報の有益度が高いと判定する。
【００８１】
以下同様にして、広告情報ＤＢ７に格納された広告情報毎にＳ２１〜Ｓ３１の処理を実行し、有益度を判定する。尚、判定された有益度は広告情報の広告主に配信する構成としても良いし、今後の広告管理サーバ３における広告情報の配信態様を変更する材料として用いても良い。例えば、有益度の高い広告情報を有益度の低い広告情報よりも優先的にナビゲーション装置５に対して配信することが可能である。更に、有益度を用いてナビゲーション装置５における広告情報の提供方法を変更しても良い。例えば、有益度の高い広告情報はより詳細に情報を案内し、有益度の低い広告情報はより簡略化して情報を案内することが可能である。
【００８２】
以上詳細に説明した通り、本実施形態に係る広告情報提供システム１、広告管理サーバ３及び広告管理サーバ３で実行されるコンピュータプログラムでは、広告管理サーバ３からナビゲーション装置５へと広告情報の配信を行う（Ｓ１１）一方で、広告情報を配信したナビゲーション装置５において広告情報が提供された提供回数を取得する（Ｓ２３）とともに、ユーザが広告情報に係る地点に立ち寄った立寄回数を取得し（Ｓ３０）、提供回数と立寄回数とに基づいて広告情報の有益度を判定する（Ｓ３１）ので、広告情報が情報端末において実際にユーザに提供された回数と、その広告情報を提供されたユーザが広告情報に係る地点に立ち寄った回数とに基づいて、広告情報がユーザにとってどの程度有益であるかを示す有益度を判定し、提供することが可能となる。その結果、多数の広告情報が存在する場合において、ユーザにとって有益な広告情報を識別することが可能となり、その後の広告情報の提供において、広告効果を向上させることが可能となる。
【００８３】
尚、本発明は前記実施形態に限定されるものではなく、本発明の要旨を逸脱しない範囲内で種々の改良、変形が可能であることは勿論である。
例えば、本実施形態では、広告情報の有益度として上記式（１）〜（４）により有益度Ａ〜Ｄをそれぞれ算出しているが、有益度Ａ〜Ｄのいずれかのみを算出しても良い。また、広告情報がユーザにとってどの程度有益であるかを示す値であれば、他の値を有益度として算出しても良い。例えば、Ｎ２／Ｎ１、Ｎ３／Ｎ１、Ｎ４／Ｎ１、Ｎ３／Ｎ２を有益度として算出しても良い。これらの値においても、値が高い程ユーザに有益であることを示す。
【００８４】
また、本実施形態では、広告管理サーバ３は広告情報をナビゲーション装置５へと配信する一方で、配信した広告情報の有益度の評価も行っているが、広告情報を配信するサーバと広告情報の有益度を評価するサーバとは別のサーバであっても良い。更に、広告管理サーバ３側ではなくナビゲーション装置５側において広告情報の有益度の評価も行っても良い。その場合には、ナビゲーション装置５の走行履歴ＤＢ４６及び閲覧履歴ＤＢ４７に記憶された各情報に基づいて上記Ｎ１〜Ｎ４をカウントし、有益度の算出を行う。
【００８５】
また、広告情報を提供する通信端末としては、ナビゲーション装置以外に、ユーザの走行案内を行う機能を有する装置であれば他の装置であっても良い。例えば、携帯電話機、スマートフォン、タブレット型端末、パーソナルコンピュータ等（以下、携帯端末等という）であっても良い。
【００８６】
また、本発明に係る広告評価装置を具体化した実施例について上記に説明したが、広告評価装置は以下の構成を有することも可能であり、その場合には以下の効果を奏する。
【００８７】
例えば、第１の構成は以下のとおりである。
地図情報に含まれる地点の広告情報をユーザに対して提供する情報端末（５）と通信可能に接続された広告評価装置（３）であって、前記情報端末において前記広告情報が提供された提供回数を取得する提供回数取得手段（２１）と、前記ユーザが前記広告情報に係る地点に立ち寄った立寄回数を取得する立寄回数取得手段（２１）と、前記提供回数と前記立寄回数とに基づいて前記広告情報の有益度を判定する有益度判定手段（２１）と、を有する。
上記構成を有する広告評価装置によれば、広告情報が情報端末において実際にユーザに提供された回数と、その広告情報を提供されたユーザが広告情報に係る地点に立ち寄った回数とに基づいて、広告情報がユーザにとってどの程度有益であるかを示す有益度を判定し、提供することが可能となる。その結果、多数の広告情報が存在する場合において、ユーザにとって有益な広告情報を識別することが可能となり、その後の広告情報の提供において、広告効果を向上させることが可能となる。
【００８８】
また、第２の構成は以下のとおりである。
前記情報端末（５）は外部から配信された前記広告情報をユーザに対して提供し、前記有益度判定手段（２１）は、前記情報端末に前記広告情報が配信された回数に対して、配信された前記広告情報がユーザに提供された前記提供回数の割合が高い程、前記広告情報の有益度が高いと判定する。
上記構成を有する広告評価装置によれば、広告情報の配信された情報端末ではユーザが実際にどの程度の割合で広告情報を閲覧したのかに基づいて、有益度を判定することが可能となる。具体的には、ユーザが広告情報を閲覧した割合の高い広告情報ほど、有益度の高い広告情報と判定することにより有益度を適切に算出可能となる。
【００８９】
また、第３の構成は以下のとおりである。
前記情報端末（５）は外部から配信された前記広告情報をユーザに対して提供し、前記有益度判定手段（２１）は、前記情報端末に前記広告情報が配信された回数に対して、配信された前記広告情報に係る地点にユーザが立ち寄った前記立寄回数の割合が高い程、前記広告情報の有益度が高いと判定する。
上記構成を有する広告評価装置によれば、広告情報の配信された情報端末ではユーザが実際にどの程度の割合で広告情報に係る地点に立ち寄ったのかに基づいて、有益度を判定することが可能となる。具体的には、ユーザが広告情報に係る地点に立ち寄った割合の高い広告情報ほど、有益度の高い広告情報と判定することにより有益度を適切に算出可能となる。
【００９０】
また、第４の構成は以下のとおりである。
前記提供回数取得手段（２１）は、前記提供回数を前記広告情報の提供態様毎に区分して取得し、前記有益度判定手段は、区分ごとの前記提供回数に基づいて前記広告情報の有益度を判定する。
上記構成を有する広告評価装置によれば、広告情報の配信された情報端末においてユーザに対してどのように広告情報が提供されたかに基づいて、有益度を判定することが可能となる。
【００９１】
また、第５の構成は以下のとおりである。
前記情報端末（５）では前記広告情報の提供態様として、簡易な情報を提供する第１提供態様と、詳細な情報を提供する第２提供態様とを含み、前記有益度判定手段（２１）は、前記広告情報について前記第２提供態様により提供された割合が高い程、前記広告情報の有益度が高いと判定する。
上記構成を有する広告評価装置によれば、特に詳細な広告情報の閲覧を希望したユーザの多い広告情報程、有益度を高く判定するので、広告情報の有益度を適切に判定することが可能となる。
【００９２】
また、第６の構成は以下のとおりである。
前記情報端末（５）は複数あって、前記提供回数取得手段（２１）及び前記立寄回数取得手段（２１）は、複数の前記情報端末から前記提供回数及び前記立寄回数をそれぞれ取得し、前記有益度判定手段（２１）は、複数の前記情報端末における前記提供回数及び前記立寄回数を統計することにより、前記広告情報の有益度を判定する。
上記構成を有する広告評価装置によれば、複数の情報端末を対象とした広告情報が実際にユーザに提供された回数と、その広告情報を提供されたユーザが広告情報に係る地点に立ち寄った回数とに基づいて、広告情報がユーザにとってどの程度有益であるかを示す有益度を判定し、提供することが可能となる。その結果、複数のユーザを対象としたより正確な有益度を判定することが可能となる。
【００９３】
また、第７の構成は以下のとおりである。
前記広告情報を前記情報端末（５）に配信する広告情報配信手段（２１）を有する。
上記構成を有する広告評価装置によれば、情報端末へと配信した広告情報が情報端末において実際にユーザに提供された回数と、その広告情報を提供されたユーザが広告情報に係る地点に立ち寄った回数とに基づいて、広告情報がユーザにとってどの程度有益であるかを示す有益度を判定し、提供することが可能となる。その結果、配信対象となる多数の広告情報が存在する場合において、ユーザにとって有益な広告情報を識別することが可能となり、その後の広告情報の配信において、広告効果を向上させることが可能となる。
【符号の説明】
【００９４】
１              広告情報提供システム
２              広告情報管理センタ
３              広告管理サーバ
４              ユーザ
５              ナビゲーション装置
７              広告情報ＤＢ
１１            サーバ制御ＥＣＵ
１２            統計情報ＤＢ
２１            ＣＰＵ
２２            ＲＡＭ
２３            ＲＯＭ
２４            フラッシュメモリ
【図１】
2018005652.tif 000003
【図２】
2018005652.tif 000004
【図３】
2018005652.tif 000005
【図４】
2018005652.tif 000006
【図５】
2018005652.tif 000007
【図６】
2018005652.tif 000008
【図７】
2018005652.tif 000009
【図８】
2018005652.tif 000010
【図９】
2018005652.tif 000011
【図１０】
2018005652.tif 000012